(57)【要約】      （修正有）【課題】目的地案内を受けるユーザに対して有用な情報を提供する。【解決手段】情報提供システム１において、サーバ装置１２のユーザ情報保持部３２は、ユーザの移動履歴をもとに導出されたユーザの許容行動範囲をユーザの移動目的ごとに保持する。提供情報抽出部３８は、ユーザにより設定された目的地へ案内する案内経路情報を取得した場合に、ユーザ情報保持部からユーザの移動目的に応じた許容行動範囲を受け取って、案内経路から許容行動範囲内に存在する施設の情報を抽出する。提供部は、抽出した施設の情報を車載装置１０に送る。【選択図】図２
2020143950.tif 000002
【特許請求の範囲】
【請求項１】
ユーザの移動履歴をもとに導出されたユーザの許容行動範囲をユーザの移動目的ごとに保持するユーザ情報保持部と、
ユーザにより設定された目的地へ案内する案内経路情報を取得した場合に、前記ユーザ情報保持部からユーザの移動目的に応じた許容行動範囲を受け取って、案内経路から許容行動範囲内に存在する施設の情報を抽出する提供情報抽出部と、
抽出した施設の情報をユーザの端末装置に送る提供部と、を備えることを特徴とする情報提供システム。
【発明の詳細な説明】
【技術分野】
【０００１】
本発明は、目的地案内を受けるユーザに目的地以外の施設の情報を提供する情報提供システムに関する。
【背景技術】
【０００２】
特許文献１には、目的地までの経路を検索するユーザに対して、目的地に関連する立ち寄りスポットを提供する経路検索サーバが開示されている。この経路検索サーバは、ユーザの端末装置から目的地を示す情報を受信し、目的地に関連する立ち寄りスポットとして目的地や経路途中にある商業施設を抽出し、抽出した商業施設の情報を端末装置に送信する。
【先行技術文献】
【特許文献】
【０００３】
【特許文献１】特開２０１８−４９３３６号公報
【発明の概要】
【発明が解決しようとする課題】
【０００４】
特許文献１に開示される技術では、経路となった道路の近くに存在する商業施設を抽出するため、経路によっては商業施設がない場合もあり、情報を充分に提供できない可能性がある。
【０００５】
本発明の目的は、目的地案内を受けるユーザに対して有用な情報を提供することにある。
【課題を解決するための手段】
【０００６】
上記課題を解決するために、本発明のある態様の情報提供システムは、ユーザの移動履歴をもとに導出されたユーザの許容行動範囲をユーザの移動目的ごとに保持するユーザ情報保持部と、ユーザにより設定された目的地へ案内する案内経路情報を取得した場合に、ユーザ情報保持部からユーザの移動目的に応じた許容行動範囲を受け取って、案内経路から許容行動範囲内に存在する施設の情報を抽出する提供情報抽出部と、抽出した施設の情報をユーザの端末装置に送る提供部と、を備える。
【発明の効果】
【０００７】
本発明によれば、目的地案内を受けるユーザに対して有用な情報を提供できる。
【図面の簡単な説明】
【０００８】
【図１】実施例の情報提供システムの概要を説明するための図である。
【図２】情報提供システムの機能構成を示す図である。
【図３】許容行動範囲の導出方法について説明するための図である。
【図４】ユーザ情報保持部に保持される移動履歴について説明するための図である。
【図５】ユーザ情報保持部に保持される許容行動範囲の情報を示す。
【図６】施設情報を提供する処理のフローチャートである。
【発明を実施するための形態】
【０００９】
図１は、実施例の情報提供システムの概要を説明するための図である。図１には、出力部２６の一態様である車載ディスプレイにナビゲーション画像が表示されており、ユーザが目的地を設定した状態を示す。車載ディスプレイの左側には地図画像４０が表示され、右側には経由地提案画像４２が表示されている。
【００１０】
地図画像４０には、現在の車両の位置を示す車両アイコン４４と、設定された目的地の位置を示す目的地アイコン４６と、目的地までの案内経路４５とが表示される。ユーザが目的地を設定した際に、経由地提案画像４２が表示される。
【００１１】
経由地提案画像４２は、ユーザに目的地以外の施設を提案するもので、施設情報４８は、詳細は後述するが、ユーザの過去の行動履歴をもとに抽出される。経由地提案画像４２には、ＡからＥの施設情報４８が表示されており、施設の名称、案内経路４５から施設までの移動時間、経由地決定ボタンが表示される。
【００１２】
経由地提案画像４２に示すＡからＥの施設情報４８は、地図画像４０にそれぞれの位置を示すアイコンでも表示される。ユーザが「ＧＯ」と表示される経由地決定ボタンを選択すると、ナビゲーション機能の案内経路４５は目的地に直接向かう案内から、その経由地を経由して目的地に向かう案内に変更される。このように、ユーザが目的地を設定した際に、ユーザの行動履歴にもとづく別の施設を提案することで有用な情報を提供できる。
【００１３】
図２は、情報提供システム１の機能構成を示す図である。図２において、さまざまな処理を行う機能ブロックとして記載される各要素は、ハードウェア的には、回路ブロック、メモリ、その他のＬＳＩで構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００１４】
情報提供システム１は、車載装置１０、サーバ装置１２およびデータサーバ１４を備える。車載装置１０は、位置取得部２０、案内経路取得部２２、検出部２４、出力部２６および通信部２８を有する。サーバ装置１２は、通信部３０、ユーザ情報保持部３２、解析部３４、提供情報保持部３６および提供情報抽出部３８を有する。データサーバ１４は、施設情報を保持するもので、サーバ装置１２に含まれてもよい。
【００１５】
車載装置１０の位置取得部２０は、ＧＰＳ（Global Positioning System）を用いて車両の位置情報およびその位置情報の取得時刻を取得する。車両の位置情報は、通信部２８を介してサーバ装置１２に送信される。なお、通信部２８は、サーバ装置１２に情報を送信する際にユーザＩＤを付して送信し、サーバ装置１２側がユーザを区別できるようにする。
【００１６】
案内経路取得部２２は、ユーザにより設定された目的地情報をもとに生成した案内経路情報を取得する。案内経路情報は、車両の位置を始点とし、設定された目的地を終点とする。案内経路取得部２２は、ユーザにより設定された経由地情報も取得する。案内経路情報は、通信部２８を介してサーバ装置１２に送信される。
【００１７】
検出部２４は、車内を撮像するカメラや、車内の音を検出するマイクロフォンであり、乗員の顔認識や乗員の発話を検出するために用いられる。検出部２４は、経由地提案を要求するユーザの発話を検出してもよい。検出部２４の検出結果は、通信部２８を介してサーバ装置１２に送信される。
【００１８】
出力部２６は、図１に示した車載ディスプレイや、音を出力するスピーカであり、ナビゲーション機能を提供したり、ユーザに情報を提供したりする。
【００１９】
サーバ装置１２のユーザ情報保持部３２は、ユーザ情報をユーザＩＤに関連付けて保持する。ユーザ情報には、嗜好情報と許容行動範囲情報と移動履歴とが含まれる。なお、ユーザ情報保持部３２は、ユーザを特定するための認証情報を保持してよい。嗜好情報は、ユーザの移動履歴、ユーザの発話をもとに生成される。例えば、ユーザが訪問した飲食店の種類およびその回数をもとに、食べ物の嗜好情報が生成される。
【００２０】
移動履歴は、ユーザの位置情報および案内経路情報をもとづく情報であって、ユーザの移動経路、最終目的地情報、最終目的地の途中で経由した経由地情報、移動時間等を含む。また、移動履歴には、経由地に向かうため有料高速道路を途中で降りたことを示す情報が含まれてもよい。移動履歴には、目的地の種類や乗員の発話をもとに導出された移動目的が含まれてよい。
【００２１】
許容行動範囲は、ユーザの移動履歴をもとに導出した情報であって、ユーザが目的地への経路からどの程度まで外れてよいか示す許容度であり、実施例では時間を単位にして表すが、変形例では距離でもよい。許容行動範囲は、ユーザの移動目的毎、または目的地の種類毎に導出されてよい。
【００２２】
図３は、許容行動範囲の導出方法について説明するための図である。ユーザは、時刻ｔ０の出発地にてナビゲーション機能に最終目的地を設定して移動を開始し、時刻ｔ１の案内経路の途中で経由地を設定し、案内経路を離脱する。
【００２３】
ユーザは、経由地に向かい、時刻ｔ２にて経由地に到着し、そのあと時刻ｔ４にて最終目的地に到着する。このとき、ユーザが出発地から経由地を通らずに最終目的地に直接向かった場合、時刻ｔ３に到着予定であった。実際に到着した時刻ｔ４から予定していた時刻ｔ３を減算すると経由時間Ｔ１が導出される。経由時間Ｔ１は、最終目的地に直接移動する場合と比べて、経由地に立ち寄ったことで余分にかかった時間になる。なお、経由地は複数あってもよい。
【００２４】
経由時間Ｔ１が最終目的地の種類毎または移動目的毎に収集されて、この経由時間をもとに許容行動範囲が最終目的地の種類毎または移動目的毎に導出される。
【００２５】
図４は、ユーザ情報保持部３２に保持される移動履歴について説明するための図である。図４には、ａからｄの移動履歴が示されており、目的地の種類、移動目的、経由地情報、同乗者情報、経由時間等を含む。目的地の種類は、目的地の施設情報をもとに導出し、移動目的は、目的地の種類およびユーザの発話から導出する。
【００２６】
移動履歴ａと移動履歴ｂを比較すると、目的地の種類および移動目的が同じであるが、同乗者の有無が異なり、経由時間が異なっている。移動履歴ａと移動履歴ｃを比較すると、目的地の種類および移動目的が異なっており、経由時間が異なっている。移動履歴ｂと移動履歴ｄとを比較すると、目的地の種類および移動目的が異なっており、経由時間が異なっている。目的地の種類、移動目的および同乗者の有無と、経由時間との関係によって、目的地の種類毎または移動目的毎の許容行動範囲が導出される。
【００２７】
図５は、ユーザ情報保持部３２に保持される許容行動範囲の情報を示す。許容行動範囲は、少なくとも移動目的ごとに保持され、図５には移動目的および目的地の種類ごとに保持されている。例えば、観光を移動目的とする場合でも、同乗者の有無によって許容行動範囲が変わる。
【００２８】
図２に戻る。解析部３４は、車内の撮像画像および車内の音を解析し、顔認証や音紋認証などによって同乗者を特定する。また、解析部３４は、ユーザの発話を解析し、移動目的を推定する。解析部３４の解析結果は、ユーザ情報保持部３２に記憶される。
【００２９】
提供情報保持部３６は、データサーバ１４から施設情報を取得し、経由地を提案するための情報として保持する。施設情報は、施設の位置、施設の種類を示す情報を含む。
【００３０】
提供情報抽出部３８は、車載装置１０にて目的地が設定されたときに、ユーザの嗜好情報にもとづいて施設情報を抽出する。例えば、提供情報抽出部３８は、嗜好情報をもとに案内経路が通る町に存在する施設の優先順位を算出してもよく、案内経路が通る町に存在する施設のうち、嗜好情報に合う種類の施設を抽出してもよい。同乗者がいる場合は、運転者の嗜好情報と同乗者の嗜好情報をもとに施設情報を抽出してよい。
【００３１】
また、提供情報抽出部３８は、他のユーザの嗜好情報を参照して、嗜好情報が類似する他のユーザの施設の訪問履歴をもとに、施設情報を抽出してよい。提供情報抽出部３８は嗜好情報が類似する他のユーザの施設の訪問履歴をもとに、施設の優先順位を算出してよい。嗜好情報が類似する他のユーザの訪問回数が多い順に施設の優先順位が算出される。
【００３２】
提供情報抽出部３８は、案内経路取得部２２により取得された案内経路情報から目的地の種類を特定し、目的地の種類に応じた許容行動範囲をユーザ情報保持部３２から取り出す。また、提供情報抽出部３８は、移動目的に応じた許容行動範囲をユーザ情報保持部３２から取り出してもよく、目的地の種類および移動目的に応じた許容行動範囲を取り出してもよい。移動目的は、目的地の種類およびユーザの発話をもとに導出される。また車載装置１０が目的地設定時にユーザに移動目的を入力させて取得してもよい。
【００３３】
次に、提供情報抽出部３８は、抽出した施設を許容行動範囲をもとに限定し、許容行動範囲内にある施設に絞る。許容行動範囲は案内経路に沿って設定し、案内経路から離脱可能な範囲を示し、許容行動範囲に収まる施設が抽出される。これにより、ユーザの行動履歴に応じた範囲にある施設情報を提供可能となり、ユーザの行動範囲外にある施設情報の提供を抑えることができる。
【００３４】
なお、提供情報抽出部３８が、嗜好情報をもとに施設情報を抽出し、許容行動範囲をもとに施設情報を限定する態様を示したが、この態様に限られず、許容行動範囲をもとに施設情報を限定し、嗜好情報をもとに施設情報を抽出してよい。なお、許容行動範囲は、同乗者情報をもとに変更されてよく、例えば子供の同乗者が入れば狭くなるように調整される。
【００３５】
提供情報抽出部３８により抽出された施設情報は、通信部３０を介して車載装置１０に送信され、出力部２６により表示される。
【００３６】
図１には移動目的が観光で案内経路から許容行動範囲が２時間である場合を示しており、食事時間を６０分として、案内経路４５から往復６０分以内の範囲にあるＡからＥの施設情報が提供される。通信部３０は、車載装置１０に施設の情報を提供する提供手段として機能する。
【００３７】
図６は、施設情報を提供する処理のフローチャートである。ユーザがナビゲーション機能を利用して目的地を設定する（Ｓ１０）。提供情報抽出部３８は、設定された目的地をもとに導出した案内経路情報を取得し、ユーザの嗜好情報をもとに案内経路の周りに存在する施設情報を抽出する（Ｓ１２）。次に、提供情報抽出部３８は、ユーザの許容行動範囲をもとに施設情報を限定し、許容行動範囲内に収まる施設情報を取り出す（Ｓ１４）。なお、許容行動範囲から施設での遊技
【００３８】
抽出された施設情報は、サーバ装置１２から車載装置１０に送信されて、出力部２６により表示されて、ユーザに経由地として提案される（Ｓ１６）。ユーザがいずれかの施設情報を経由地として選択した場合（Ｓ１８のＹ）、車載装置１０は経由地への案内を開始する（Ｓ２０）。ユーザがいずれの施設情報も選択しなかった場合（Ｓ１８のＮ）、車載装置１０は、設定された目的地に向かって案内を開始する（Ｓ２２）。
なお実施例はあくまでも例示であり、各構成要素の組合せにいろいろな変形例が可能なこと、またそうした変形例も本発明の範囲にあることは当業者に理解されるところである。
【００３９】
実施例では、車両に搭載された車載装置１０を用いる態様を示したが、この態様に限られず、車載装置１０の代わりに携帯端末装置を用いてもよい。いずれにしても、サーバ装置１２により抽出された施設の情報がユーザの端末装置に送信されて、ユーザに提供される。
【符号の説明】
【００４０】
１  情報提供システム、  １０  車載装置、  １２  サーバ装置、  １４  データサーバ、  ２０  位置取得部、  ２２  案内経路取得部、  ２４  検出部、  ２６  出力部、  ２８，３０  通信部、  ３２  ユーザ情報保持部、  ３４  解析部、  ３６  提供情報保持部、  ３８  提供情報抽出部。
【図１】
2020143950.tif 000003
【図２】
2020143950.tif 000004
【図３】
2020143950.tif 000005
【図４】
2020143950.tif 000006
【図５】
2020143950.tif 000007
【図６】
2020143950.tif 000008